(57)【要約】  第１アイコンを格納する第１アイコン格納部と、第２アイコンを格納する第２アイコン格納部と、携帯端末識別情報およびアプリ識別情報の組み合わせを、第２アイコンに対応付けて格納する対応情報格納部と、携帯端末から携帯端末識別情報を受信する携帯端末識別情報受信部と、携帯端末からアプリ識別情報を受信するアプリ識別情報受信部と、携帯端末識別情報受信部が受信した携帯端末識別情報およびアプリ識別情報受信部が受信したアプリ識別情報の組み合わせが対応情報格納部に格納されている場合、第２アイコンを表示部に表示させ、格納されていない場合、第１アイコンを表示部に表示させる表示制御部とを備える表示制御装置を提供する。
2017022029.tif 000002
【特許請求の範囲】
【請求項１】
第１アイコンを格納する第１アイコン格納部と、
第２アイコンを格納する第２アイコン格納部と、
携帯端末識別情報およびアプリ識別情報の組み合わせを、前記第２アイコンに対応付けて格納する第１対応情報格納部と、
携帯端末から携帯端末識別情報を受信する携帯端末識別情報受信部と、
前記携帯端末からアプリ識別情報を受信するアプリ識別情報受信部と、
前記携帯端末識別情報受信部が受信した前記携帯端末識別情報および前記アプリ識別情報受信部が受信した前記アプリ識別情報の組み合わせが前記第１対応情報格納部に格納されている場合、前記第２アイコンを表示部に表示させ、格納されていない場合、前記第１アイコンを前記表示部に表示させる表示制御部と
を備える表示制御装置。
【請求項２】
前記第２アイコン格納部は、複数の第２アイコンを格納し、
前記第１対応情報格納部は、携帯端末識別情報およびアプリ識別情報の複数の組み合わせのそれぞれを、前記複数の第２アイコンのそれぞれに対応づけて格納する、請求項１に記載の表示制御装置。
【請求項３】
前記第１アイコン格納部は、複数の第１アイコンを格納し、
前記表示制御装置は、携帯端末識別情報およびアプリ識別情報の複数の組み合わせのそれぞれを、前記複数の第１アイコンのそれぞれに対応付けて格納する第２対応情報格納部をさらに備え、
前記表示制御部は、前記携帯端末識別情報受信部が受信した前記携帯端末識別情報および前記アプリ識別情報受信部が受信した前記アプリ識別情報の組み合わせが前記第１対応情報格納部に格納されておらず、かつ、前記第２対応情報格納部に格納されている場合、前記携帯端末識別情報受信部が受信した前記携帯端末識別情報および前記アプリ識別情報受信部が受信した前記アプリ識別情報の組み合わせに対応付けられている前記第１アイコンを前記表示部に表示させる、請求項１または２に記載の表示制御装置。
【請求項４】
第３アイコンを格納する第３アイコン格納部
をさらに備え、
前記第１対応情報格納部は、携帯端末識別情報およびアプリ識別情報の組み合わせを、前記第２アイコンおよび前記第３アイコンのうちの後に格納されたアイコンに対応付けて格納する、請求項１から３のいずれか一項に記載の表示制御装置。
【請求項５】
第４アイコンを取得する第４アイコン取得部と、
前記第２アイコンおよび前記第３アイコンのうちの先に格納されたアイコンを前記第４アイコンに書き換えるアイコン書換部と
をさらに備え、
前記第１対応情報格納部は、携帯端末識別情報およびアプリ識別情報の組み合わせを、前記第４アイコンに対応付けて格納する、請求項４に記載の表示制御装置。
【請求項６】
携帯端末とＢＬＥ通信接続を確立する通信接続確立部
をさらに備え、
前記携帯端末識別情報は、前記ＢＬＥ通信接続のペアリング情報である、請求項５に記載の表示制御装置。
【請求項７】
前記アプリ識別情報受信部は、前記ＢＬＥ通信接続を介して、前記携帯端末からアプリ識別情報を受信する、請求項６に記載の表示制御装置。
【請求項８】
前記ＢＬＥ通信接続を介して、前記第２アイコン、前記第３アイコン、前記第４アイコンを携帯端末から受信するアイコン受信部
をさらに備える、請求項６または７に記載の表示制御装置。
【請求項９】
請求項１から８のいずれか一項に記載の表示制御装置と、
前記表示部と
を備える、表示装置。
【請求項１０】
前記携帯端末と、
請求項９に記載の表示装置と
を備える、表示システム。
【請求項１１】
コンピュータを、請求項１から８のいずれか一項に記載の表示制御装置として機能させるためのプログラム。
【発明の詳細な説明】
【技術分野】
【０００１】
本発明は、表示制御装置、表示装置、表示システムおよびプログラムに関する。
【背景技術】
【０００２】
ＨＤＭＩ（登録商標）ポートに接続されている携帯電話が着信を受けた場合に、携帯電話が着信を受けたことを表示装置に表示させるための制御部を備える映像表示装置が知られていた。（例えば、特許文献１参照）。
［先行技術文献］
［特許文献］
［特許文献１］特開２０１３−０２１４４２公報
【発明の概要】
【発明が解決しようとする課題】
【０００３】
表示装置の使用者に対して、携帯電話の状態をより適切に通知できることが望ましい。
【課題を解決するための手段】
【０００４】
本発明の第１の態様によれば、表示制御装置が提供される。上記表示制御装置は、第１アイコンを格納する第１アイコン格納部を備えてよい。上記表示制御装置は、第２アイコンを格納する第２アイコン格納部を備えてよい。上記表示制御装置は、携帯端末識別情報およびアプリ識別情報の組み合わせを、第２アイコンに対応付けて格納する第１対応情報格納部を備えてよい。上記表示制御装置は、携帯端末から携帯端末識別情報を受信する携帯端末識別情報受信部を備えてよい。上記表示制御装置は、携帯端末からアプリ識別情報を受信するアプリ識別情報受信部を備えてよい。上記表示制御装置は、携帯端末識別情報受信部が受信した携帯端末識別情報およびアプリ識別情報受信部が受信したアプリ識別情報の組み合わせが第１対応情報格納部に格納されている場合、第２アイコンを表示部に表示させ、格納されていない場合、第１アイコンを表示部に表示させる表示制御部を備えてよい。【０００５】
上記第２アイコン格納部は、複数の第２アイコンを格納してよく、上記第１対応情報格納部は、携帯端末識別情報およびアプリ識別情報の複数の組み合わせのそれぞれを、上記複数の第２アイコンのそれぞれに対応づけて格納してよい。上記第１アイコン格納部は、複数の第１アイコンを格納してよく、上記表示制御装置は、携帯端末識別情報およびアプリ識別情報の複数の組み合わせのそれぞれを、上記複数の第１アイコンのそれぞれに対応付けて格納する第２対応情報格納部をさらに備えてよく、上記表示制御部は、上記携帯端末識別情報受信部が受信した上記携帯端末識別情報および上記アプリ識別情報受信部が受信した上記アプリ識別情報の組み合わせが上記第１対応情報格納部に格納されておらず、かつ、上記第２対応情報格納部に格納されている場合、上記携帯端末識別情報受信部が受信した上記携帯端末識別情報および上記アプリ識別情報受信部が受信した上記アプリ識別情報の組み合わせに対応付けられている上記第１アイコンを上記表示部に表示させてよい。【０００６】
上記表示制御装置は、第３アイコンを格納する第３アイコン格納部をさらに備えてよく、上記第１対応情報格納部は、携帯端末識別情報およびアプリ識別情報の組み合わせを、上記第２アイコンおよび上記第３アイコンのうちの後に格納されたアイコンに対応付けて格納してよい。上記表示制御装置は、第４アイコンを取得する第４アイコン取得部と、上記第２アイコンおよび上記第３アイコンのうちの先に格納されたアイコンを上記第４アイコンに書き換えるアイコン書換部とをさらに備えてよく、上記第１対応情報格納部は、携帯端末識別情報およびアプリ識別情報の組み合わせを、上記第４アイコンに対応付けて格納してよい。上記表示制御装置は、携帯端末とＢＬＥ（Ｂｌｕｅｔｏｏｔｈ（登録商標）  Ｌｏｗ  Ｅｎｅｒｇｙ）通信接続を確立する通信接続確立部をさらに備えてよく、上記携帯端末識別情報は、上記ＢＬＥ通信接続のペアリング情報であってよい。上記アプリ識別情報受信部は、上記ＢＬＥ通信接続を介して、上記携帯端末からアプリ識別情報を受信してよい。上記表示制御装置は、上記ＢＬＥ通信接続を介して、上記第２アイコン、上記第３アイコン、上記第４アイコンを携帯端末から受信するアイコン受信部をさらに備えてよい。【０００７】
本発明の第２の態様によれば、上記表示制御装置と上記表示部とを備える表示装置が提供される。【０００８】
本発明の第３の態様によれば、上記携帯端末と上記表示装置とを備える表示システムが提供される。【０００９】
本発明の第４の態様によれば、コンピュータを上記表示制御装置として機能させるためのプログラムが提供される。【００１０】
なお、上記の発明の概要は、本発明の必要な特徴の全てを列挙したものではない。また、これらの特徴群のサブコンビネーションもまた、発明となりうる。
【図面の簡単な説明】
【００１１】
【図１】表示システム１０の一例を概略的に示す。
【図２】表示装置１００の機能構成の一例を概略的に示す。
【図３】表示装置１００の実装例であるモニタ３００の構成を概略的に示す。
【図４】表示装置１００による処理の流れの一例を概略的に示す。
【図５】表示装置１００による処理の流れの一例を概略的に示す。
【発明を実施するための形態】
【００１２】
以下、発明の実施の形態を通じて本発明を説明するが、以下の実施形態は請求の範囲にかかる発明を限定するものではない。また、実施形態の中で説明されている特徴の組み合わせの全てが発明の解決手段に必須であるとは限らない。
【００１３】
図１は、表示システム１０の一例を概略的に示す。表示システム１０は、表示装置１００および携帯端末２００を備える。本実施形態に係る表示装置１００は、無線通信接続を確立した携帯端末２００において、電話の着信、メールの着信、ＳＮＳ（Ｓｏｃｉａｌ  Ｎｅｔｗｏｒｋ  Ｓｅｒｖｉｃｅ）からの着信、およびゲームのメッセージ着信などのイベントが発生した場合に、イベントに対応するアイコン１６０を表示して、イベントの発生を表示装置１００の使用者に通知する。
【００１４】
表示装置１００は、予め格納されたデフォルトのアイコン（標準アイコンと呼ぶ場合がある。）を有してよい。また、表示装置１００は、携帯端末２００を用いてストアサーバ３０から購入されたアイコン（特別アイコンと呼ぶ場合がある。）を有してよい。表示装置１００は、例えば、ＢＬＥ通信接続を介して携帯端末２００から特別アイコンを受信して格納する。
【００１５】
表示装置１００は、特別アイコンを送信した携帯端末２００の携帯端末識別情報およびアプリ識別情報の組み合わせを特別アイコンに対応付けて格納してよい。携帯端末識別情報は、携帯端末２００を識別することができればどのような情報であってもよい。例えば、携帯端末識別情報はＢＬＥ通信接続のペアリング情報である。また、携帯端末識別情報は、Ｂｌｕｅｔｏｏｔｈ（登録商標）通信接続のペアリング情報、電話番号、個体識別情報、端末識別番号、およびＭＡＣ（Ｍｅｄｉａ  Ａｃｃｅｓｓ  Ｃｏｎｔｒｏｌ  ａｄｄｒｅｓｓ）番号などであってもよい。アプリ識別情報は、アプリケーションを識別することができればどのような情報であってもよい。例えば、アプリ識別情報はアプリケーションのパッケージ名である。
【００１６】
携帯端末２００は、イベントが発生したアプリケーションのアプリ識別情報を表示装置１００に対して送信する。表示装置１００は、携帯端末２００から受信したアプリ識別情報および携帯端末２００の携帯端末識別情報の組み合わせが特別アイコンに対応付けて格納してある場合、当該特別アイコンを表示する。また、表示装置１００は、携帯端末２００から受信したアプリ識別情報および携帯端末２００の携帯端末識別情報の組み合わせが特別アイコンに対応付けて格納していない場合、標準アイコンを表示する。
【００１７】
表示装置１００は、複数の特別アイコンを格納してよい。表示装置１００は、携帯端末識別情報およびアプリ識別情報の複数の組み合わせのそれぞれを複数の特別アイコンのそれぞれに対応付けて格納してよい。
【００１８】
そして、表示装置１００は、携帯端末２００からアプリ識別情報を受信した場合に、複数の特別アイコンのうち、受信したアプリ識別情報および携帯端末２００の携帯端末識別情報の組み合わせに対応付けられた特別アイコンを表示してよい。これにより、携帯端末２００においてイベントが発生したときに、携帯端末２００を用いて購入された使用者の好みの特別アイコンのうち、イベントに対応する特別アイコンを表示することができる。
【００１９】
なお、携帯端末識別情報およびアプリ識別情報の複数の組み合わせが、同一の特別アイコンに対応付けて格納されてもよい。例えば、携帯端末識別情報および複数のＳＮＳアプリのアプリ識別情報の複数の組み合わせが、ＳＮＳを表す一の特別アイコンに対応付けて格納される。これにより、表示装置１００の使用者に対して、複数のＳＮＳのいずれかから着信があったということを通知することができる。
【００２０】
また、表示装置１００は、複数の標準アイコンを格納してよい。表示装置１００は、携帯端末識別情報およびアプリ識別情報の複数の組み合わせのそれぞれを複数の標準アイコンのそれぞれに対応付けて格納してよい。
【００２１】
そして、表示装置１００は、携帯端末２００からアプリ識別情報を受信した場合であって、受信したアプリ識別情報および携帯端末２００の携帯端末識別情報の組み合わせに特別アイコンが対応付けられておらず、かつ、標準アイコンが対応付けられている場合、受信したアプリ識別情報および携帯端末２００の携帯端末識別情報の組み合わせに対応付けられた標準アイコンを表示してよい。これにより、携帯端末２００においてイベントが発生したアプリケーションに対応する特別アイコンが表示装置１００に格納されていない場合であっても、イベントに対応する標準アイコンを表示することができ、携帯端末２００においてどのようなイベントが発生したのかを使用者に通知することができる。
【００２２】
携帯端末２００は、無線基地局５０およびネットワーク２０を介して、アイコンを販売するストアサーバ３０にアクセスしてよい。携帯端末２００と無線基地局５０とは、任意の通信方式を用いて無線通信してよい。例えば、携帯端末２００と無線基地局５０とは、ＧＳＭ（登録商標）（Ｇｌｏｂａｌ  Ｓｙｓｔｅｍ  ｆｏｒ  Ｍｏｂｉｌｅ  ｃｏｍｍｕｎｉｃａｔｉｏｎｓ）及びＰＤＣ（Ｐｅｒｓｏｎａｌ  Ｄｉｇｉｔａｌ  Ｃｅｌｌｕｌａｒ）等の２Ｇ（２ｎｄ  Ｇｅｎｅｒａｔｉｏｎ）世代通信方式、ＷＣＤＭＡ（登録商標）（Ｗｉｄｅｂａｎｄ  Ｃｏｄｅ  Ｄｉｖｉｓｉｏｎ  Ｍｕｌｔｉｐｌｅ  Ａｃｃｅｓｓ）及びＣＤＭＡ２０００（Ｃｏｄｅ  Ｄｉｖｉｓｉｏｎ  Ｍｕｌｔｉｐｌｅ  Ａｃｃｅｓｓ  ２０００）等の３Ｇ（３ｒｄ  Ｇｅｎｅｒａｔｉｏｎ）世代通信方式、ＬＴＥ（Ｌｏｎｇ  Ｔｅｒｍ  Ｅｖｏｌｕｔｉｏｎ）等の３．９Ｇ世代通信方式、Ａｄｖａｎｃｅｄ  ＬＴＥ等の４Ｇ世代通信方式、及び４Ｇ世代通信方式以降の通信方式を用いて無線通信する。ネットワーク２０は、インターネットおよび電話網を含んでよい。なお、携帯端末２００は、Ｗｉ−Ｆｉ（登録商標）（Ｗｉｒｅｌｅｓｓ  Ｆｉｄｅｌｉｔｙ）のアクセスポイントおよびネットワーク２０を介してストアサーバ３０にアクセスしてもよい。
【００２３】
携帯端末２００は、ストアサーバ３０との間でアイコンの購入手続が完了した後、クラウドサーバ４０からアイコンを受信してよい。表示装置１００は、携帯端末２００がクラウドサーバ４０から受信したアイコンを携帯端末２００から受信してよい。また、表示装置１００は、携帯端末２００によってストアサーバ３０との間でアイコンの購入手続きが完了した後、クラウドサーバ４０からアイコンを受信してもよい。
【００２４】
図２は、表示装置１００の機能構成の一例を概略的に示す。表示装置１００は、表示制御装置１０２および表示部１５０を備える。表示制御装置１０２は、アイコン格納部１１０、特別対応情報格納部１２２、標準対応情報格納部１２４、通信接続確立部１２６、通信部１３０、表示制御部１４０、動作データ格納部１４２、およびアイコン書換部１４４を有する。なお、表示制御装置１０２がこれらのすべての構成を有することは必須とは限らない。
【００２５】
アイコン格納部１１０は、標準アイコンおよび特別アイコンを格納する。本実施形態において、アイコン格納部１１０は、第１アイコン格納部１１２、第２アイコン格納部１１４、および第３アイコン格納部１１６を含む。
【００２６】
第１アイコン格納部１１２は標準アイコンを格納する。第１アイコン格納部１１２が格納する標準アイコンを第１アイコンと呼ぶ場合がある。第１アイコン格納部１１２は、複数の標準アイコンを格納してよい。第１アイコン格納部１１２は、例えば５つの標準アイコンを格納する。第１アイコン格納部１１２に格納されているデータは書き換え不可であってよい。
【００２７】
第２アイコン格納部１１４および第３アイコン格納部１１６は特別アイコンを格納する。第２アイコン格納部１１４が格納する特別アイコンを第２アイコンと呼ぶ場合がある。第３アイコン格納部１１６が格納する特別アイコンを第３アイコンと呼ぶ場合がある。第２アイコン格納部１１４は、複数の特別アイコンを格納してよい。第２アイコン格納部１１４は、例えば５つの特別アイコンを格納する。第３アイコン格納部１１６は、複数の特別アイコンを格納してよい。第３アイコン格納部１１６は、例えば５つの特別アイコンを格納する。
【００２８】
第２アイコン格納部１１４および第３アイコン格納部１１６の両方が特別アイコンを格納している場合、アイコン格納部１１０は、いずれか一方が格納している特別アイコンを有効な特別アイコンとして管理してよい。アイコン格納部１１０は、第２アイコンおよび第３アイコンのうちの後に格納された方を有効な特別アイコンとして管理してよい。アイコン格納部１１０は、第２アイコンおよび第３アイコンのうちの先に格納された方を有効な特別アイコンとすることを禁止してよい。
【００２９】
特別対応情報格納部１２２は、携帯端末識別情報およびアプリ識別情報の組み合わせを特別アイコンに対応付けて格納する。特別対応情報格納部１２２は、携帯端末識別情報およびアプリ識別情報の組み合わせを、第２アイコンおよび第３アイコンのうちの後に格納された特別アイコンに対応付けて格納してよい。特別対応情報格納部１２２は、携帯端末識別情報およびアプリ識別情報の複数の組み合わせのそれぞれを、複数の特別アイコンのそれぞれに対応付けて格納してよい。特別対応情報格納部１２２は、第１対応情報格納部の一例である。
【００３０】
標準対応情報格納部１２４は、携帯端末識別情報およびアプリ識別情報の組み合わせを標準アイコンに対応付けて格納する。標準対応情報格納部１２４は、携帯端末識別情報およびアプリ識別情報の複数の組み合わせのそれぞれを複数の標準アイコンのそれぞれに対応付けて格納してよい。標準対応情報格納部１２４は、第２対応情報格納部の一例である。
【００３１】
通信接続確立部１２６は、携帯端末２００と通信接続を確立する。通信接続確立部１２６は、任意の通信方式に従って携帯端末２００と通信接続を確立してよい。例えば、通信接続確立部１２６は、携帯端末２００とＢＬＥ通信接続を確立する。また、通信接続確立部１２６は、携帯端末２００とＢｌｕｅｔｏｏｔｈ（登録商標）通信接続を確立してもよい。また、通信接続確立部１２６は、Ｗｉ−Ｆｉ（登録商標）アクセスポイントを介して、携帯端末２００と通信接続を確立してもよい。
【００３２】
通信部１３０は、通信接続確立部１２６によって確立された通信接続を介して携帯端末２００と通信する。通信部１３０は、携帯端末識別情報受信部１３２、アプリ識別情報受信部１３４、およびアイコン受信部１３６を含む。
【００３３】
携帯端末識別情報受信部１３２は、携帯端末２００から携帯端末識別情報を受信する。携帯端末識別情報受信部１３２は、例えば、通信接続確立部１２６が携帯端末２００との間でＢＬＥ通信接続またはＢｌｕｅｔｏｏｔｈ（登録商標）通信接続を確立するときに携帯端末２００から受信したペアリング情報を通信接続確立部１２６から受信する。また、携帯端末識別情報受信部１３２は、例えば、通信接続確立部１２６が携帯端末２００との間で他の通信方式に従って通信接続を確立するときに携帯端末２００から受信した携帯端末識別情報を通信接続確立部１２６から受信する。また、携帯端末識別情報受信部１３２は、例えば、携帯端末２００においてイベントが発生したときに、携帯端末２００がイベントに対応するアプリ識別情報に加えて携帯端末識別情報を送信する場合には、当該携帯端末識別情報を受信してもよい。
【００３４】
アプリ識別情報受信部１３４は、携帯端末２００からアプリ識別情報を受信する。アプリ識別情報受信部１３４は、携帯端末２００においてイベントが発生したときに携帯端末２００が送信した、発生したイベントに対応するアプリ識別情報を受信してよい。
【００３５】
アイコン受信部１３６は、アイコンを受信する。アイコン受信部１３６は、例えば、携帯端末２００から特別アイコンを受信する。例えば、新たな特別アイコンの購入手続きが完了した後、携帯端末２００は、新たな特別アイコンを表示装置１００に対して送信する。
【００３６】
表示制御部１４０は、表示部１５０に標準アイコンまたは特別アイコンを表示させる。表示制御部１４０は、携帯端末識別情報受信部１３２が受信した携帯端末識別情報およびアプリ識別情報受信部１３４が受信したアプリ識別情報の組み合わせが特別対応情報格納部１２２に格納されている場合、当該組み合わせに対応する特別アイコンを表示部１５０に表示させる。また、表示制御部１４０は、携帯端末識別情報受信部１３２が受信した携帯端末識別情報およびアプリ識別情報受信部１３４が受信したアプリ識別情報の組み合わせが特別対応情報格納部１２２に格納されていない場合、標準アイコンを表示部１５０に表示させる。
【００３７】
このとき、表示制御部１４０は、第１アイコン格納部１１２が標準アイコンを１つのみ格納している場合、当該標準アイコンを表示部１５０に表示させてよい。また、表示制御部１４０は、第１アイコン格納部１１２が複数の標準アイコンを格納している場合であって、携帯端末識別情報受信部１３２が受信した携帯端末識別情報およびアプリ識別情報受信部１３４が受信したアプリ識別情報が標準対応情報格納部１２４に格納されている場合、当該組み合わせに対応する標準アイコンを表示部１５０に表示させてよい。携帯端末識別情報受信部１３２が受信した携帯端末識別情報およびアプリ識別情報受信部１３４が受信したアプリ識別情報が標準対応情報格納部１２４に格納されていない場合、表示制御部１４０は、複数の標準アイコンのうちのいずれか１つを表示部１５０に表示させてよい。なお、携帯端末識別情報受信部１３２が受信した携帯端末識別情報およびアプリ識別情報受信部１３４が受信したアプリ識別情報が標準対応情報格納部１２４に格納されていない場合に表示する標準アイコンは、予め設定されていてよい。
【００３８】
動作データ格納部１４２は、アイコンを表示部１５０にどのように表示させるかを示す動作データを格納する。動作データは、任意の動きを示してよい。例えば、動作データは、フェードイン、スライドイン、フロートイン、スプリット、およびワイプなどの動きを示す。動作データ格納部１４２は、複数の特別アイコンのそれぞれに対する動作データを格納してよい。また、動作データ格納部１４２は、複数の標準アイコンのそれぞれに対する動作データを格納してよい。表示制御部１４０は、表示部１５０に表示させるアイコンに対応する動作データが動作データ格納部１４２に格納されている場合、当該動作データに従って当該アイコンを表示させてよい。
【００３９】
アイコン書換部１４４は、アイコン格納部１１０に格納されている特別アイコンを書き換える。アイコン書換部１４４は、例えば、第２アイコン格納部１１４に複数の第２アイコンが格納されており、かつ、第３アイコン格納部１１６に複数の第３アイコンが格納されている状態で、アイコン受信部１３６が新たな複数の特別アイコンを受信する場合、複数の第２アイコンおよび複数の第３アイコンのうちの先に格納されたアイコンを、新たに受信した複数の特別アイコンに書き換える。当該新たな特別アイコンは、第４アイコンの一例である。アイコン書換部１４４は、アイコン受信部１３６が新たな複数の特別アイコンの受信を開始してから受信を終了するまでの間に、書き換え処理を開始してよい。
【００４０】
特別対応情報格納部１２２は、アイコン書換部１４４による書き換えが実行された場合に、携帯端末識別情報およびアプリ識別情報の組み合わせの対応付けを、書き換え後の特別アイコンに変更してよい。これにより、書き換え後の特別アイコンを有効にすることができる。なお、アイコン書換部１４４が新たに受信した複数の特別アイコンへの書き換えを実行している途中に、携帯端末２００の移動および電波環境の変化などの理由によって、書き換えエラーが発生した場合、特別対応情報格納部１２２は、携帯端末識別情報およびアプリ識別情報の組み合わせの変更を実行しない。これにより、書き換えエラーによってデータが破損している可能性のある特別アイコンを有効にしてしまうことを防止できる。
【００４１】
図３は、表示装置１００の実装例であるモニタ３００の構成を概略的に示す。モニタ３００は、ＭＰＵ（Ｍｉｃｒｏ  Ｐｒｏｃｅｓｓｉｎｇ  Ｕｎｉｔ）３０２、ＢＬＥユニット３０４、ＭＰＵ−ＲＡＭ（Ｒａｎｄｏｍ  Ａｃｃｅｓｓ  Ｍｅｍｏｒｙ）３０６、ＭＰＵ−ＳＰＩ（Ｓｅｒｉａｌ  Ｐｅｒｉｐｈｅｒａｌ  Ｉｎｔｅｒｆａｃｅ）３０８、ＦＰＧＡ（Ｆｉｅｌｄ  Ｐｒｏｇｒａｍｍａｂｌｅ  Ｇａｔｅ  Ａｒｒａｙ）３１０、および表示ユニット３２０を備える。
【００４２】
ＭＰＵ３０２は、モニタ３００全体の動きを制御する。ＢＬＥユニット３０４は、ＢＬＥ通信を制御する。ＢＬＥユニット３０４は、通信接続確立部１２６および通信部１３０の一例であってよい。
【００４３】
ＭＰＵ−ＲＡＭ３０６は、ＢＬＥユニット３０４が携帯端末２００から受信したアプリ識別情報を格納する。ＭＰＵ−ＳＰＩ３０８は、特別対応情報格納部１２２および標準対応情報格納部１２４の一例であってよい。
【００４４】
ＦＰＧＡ３１０は、表示制御部１４０の一例であってよい。ＦＰＧＡ−ＳＰＩ３１２は、アイコン格納部１１０の一例であってよい。ＦＰＧＡ−ＳＰＩ３１２は、複数のアイコンのそれぞれに、アイコンを識別するアイコン識別情報を対応付けて格納してよい。表示ユニット３２０は、表示部１５０の一例であってよい。
【００４５】
ＭＰＵ３０２は、ＢＬＥユニット３０４が携帯端末２００からアプリ識別情報を受信したことに応じて、携帯端末２００の携帯端末識別情報および受信したアプリ識別情報の組み合わせがＭＰＵ−ＳＰＩ３０８に格納されているか否かを判定する。ＭＰＵ３０２は、携帯端末識別情報およびアプリ識別情報の組み合わせが特別アイコンに対応付けられている場合、当該特別アイコンのアイコン識別情報をＭＰＵ−ＳＰＩ３０８から読み出す。
【００４６】
また、ＭＰＵ３０２は、携帯端末識別情報およびアプリ識別情報の当該組み合わせが特別アイコンに対応付けられていない場合であり、かつ、当該組み合わせが標準アイコンに対応付けられている場合、当該標準アイコンのアイコン識別情報をＭＰＵ−ＳＰＩ３０８から読み出す。また、ＭＰＵ３０２は、携帯端末識別情報およびアプリ識別情報の当該組み合わせが特別アイコンにも標準アイコンにも対応付けられていない場合、予め設定された一の標準アイコンのアイコン識別情報をＭＰＵ−ＳＰＩ３０８から読み出す。そして、ＭＰＵ３０２は、読み出したアイコン識別情報をＦＰＧＡ３１０に送信する。
【００４７】
ＦＰＧＡ３１０は、ＭＰＵ３０２から受信したアイコン識別情報に対応するアイコンをＦＰＧＡ−ＳＰＩ３１２から読み出す。そして、ＦＰＧＡ３１０は、読み出したアイコンを表示ユニット３２０に表示させる。
【００４８】
図４は、表示装置１００による処理の流れの一例を概略的に示す。図４に示す処理は、表示装置１００と携帯端末２００とのＢＬＥ通信接続が確立している状態を開始状態として説明する。図４に示す各処理は、表示装置１００が備える制御部が主体となって実行される。
【００４９】
ステップ（ステップをＳと省略して記載する場合がある。）４０２では、アプリ識別情報受信部１３４が、携帯端末２００からアプリ識別情報を受信する。Ｓ４０４では、第２アイコン格納部１１４または第３アイコン格納部１１６に、携帯端末２００とのＢＬＥ通信接続のペアリング情報およびＳ４０２で受信したアプリ識別情報の組み合わせと、特別アイコンとが対応付けて格納されているか否かを判定する。格納されていると判定した場合、Ｓ４０６に進み、格納されていないと判定した場合、Ｓ４０８に進む。
【００５０】
Ｓ４０６では、表示制御部１４０が、携帯端末２００とのＢＬＥ通信接続のペアリング情報およびＳ４０２で受信したアプリ識別情報の組み合わせに対応する特別アイコンを表示部１５０に表示させる。
【００５１】
Ｓ４０８では、表示制御部１４０が、標準アイコンを表示部１５０に表示させる。表示制御部１４０は、携帯端末２００とのＢＬＥ通信接続のペアリング情報およびＳ４０２で受信したアプリ識別情報の組み合わせに対応する標準アイコンが格納されている場合、当該標準アイコンを表示させ、格納されていない場合、第１アイコン格納部１１２に格納されている予め設定された一の標準アイコンを表示させてよい。
【００５２】
図５は、表示装置１００による処理の流れの一例を概略的に示す。ここでは、アイコン受信部１３６が特別アイコンを受信した場合の処理の流れについて説明する。図５に示す各処理は、表示装置１００が備える制御部が主体となって実行される。
【００５３】
Ｓ５０２では、アイコン受信部１３６が携帯端末２００から特別アイコンを受信する。Ｓ５０４では、第２アイコン格納部１１４に特別アイコンが格納されているか否かを判定する。格納されていないと判定した場合、Ｓ５０６に進み、格納されていると判定した場合、Ｓ５０８に進む。Ｓ５０６では、Ｓ５０２で受信した特別アイコンを第２アイコン格納部１１４に格納する。ここで、特別対応情報格納部１２２は、携帯端末２００からの指示に従って、携帯端末２００の携帯端末識別情報およびアプリ識別情報の組み合わせを、第２アイコン格納部１１４に格納した特別アイコンに対応付けて格納してよい。例えば、特別対応情報格納部１２２は、携帯端末２００から送信されたアプリ識別情報および携帯端末２００の携帯端末識別情報の組み合わせを、第２アイコン格納部１１４に格納した特別アイコンに対応付けて格納する。
【００５４】
Ｓ５０８では、第３アイコン格納部１１６に特別アイコンが格納されているか否かを判定する。格納されていないと判定した場合、Ｓ５１０に進み、格納されていると判定した場合、Ｓ５１２に進む。Ｓ５１０では、Ｓ５０２で受信した特別アイコンを第３アイコン格納部１１６に格納する。ここで、特別対応情報格納部１２２は、第２アイコン格納部１１４に格納されている第２アイコンへの携帯端末識別情報およびアプリ識別情報の組み合わせの対応付けを、第３アイコン格納部１１６に格納した特別アイコンへの対応付けに変更してよい。特別対応情報格納部１２２は、携帯端末２００からの指示に従って当該変更処理を実行してもよい。
【００５５】
Ｓ５１２では、第２アイコン格納部１１４への特別アイコンの格納の方が、第３アイコン格納部１１６への特別アイコンの格納よりも先に行われたか否かを判定する。先に行われたと判定された場合、Ｓ５１４に進み、先に行われていないと判定された場合、Ｓ５１６に進む。
【００５６】
Ｓ５１４では、アイコン書換部１４４が、第２アイコン格納部１１４に格納されている特別アイコンを、Ｓ５０２で受信した特別アイコンに書き換える。ここで、特別対応情報格納部１２２は、当該書き換えに応じて、第３アイコン格納部１１６に格納されている第３アイコンへの携帯端末識別情報およびアプリ識別情報の組み合わせの対応付けを、第２アイコン格納部１１４に新たに格納した特別アイコンへの対応付けに変更してよい。
【００５７】
Ｓ５１６では、アイコン書換部１４４が、第３アイコン格納部１１６に格納されている特別アイコンを、Ｓ５０２で受信した特別アイコンに書き換える。ここで、特別対応情報格納部１２２は、当該書き換えに応じて、第２アイコン格納部１１４に格納されている第２アイコンへの携帯端末識別情報およびアプリ識別情報の組み合わせの対応付けを、第３アイコン格納部１１６に新たに格納した特別アイコンへの対応付けに変更してよい。
【００５８】
図５において説明したように、本実施形態に係る表示装置１００は、特別アイコンを新たに受信する度に、第２アイコン格納部１１４および第３アイコン格納部１１６に交互に書き換える。すなわち、表示装置１００は、第２アイコン格納部１１４に格納された特別アイコンおよび第３アイコン格納部１１６に格納された特別アイコンのうち古い方を、新たな特別アイコンに書き換える。
【００５９】
特に、ＢＬＥ通信接続のような通信速度が比較的遅い通信方式を介して特別アイコンを携帯端末２００から受信して格納する場合、比較的長い時間がかかる場合がある。例えば、１２８ピクセル×３８４ピクセルの大きさの特別アイコンが５つセットになったアイコンセットを受信して格納する場合、５〜１０分ほどかかる場合がある。この時間が長いほど、書き込みの途中でエラーが発生する可能性が高まる。特に、第２アイコン格納部１１４および第３アイコン格納部１１６としてフラッシュメモリを採用した場合、ブロック単位での書き込みが実行されるので、書き込みの途中でエラーが発生した場合、１ブロック全体が破損してしまう場合がある。
【００６０】
これに対して、本実施形態に係る表示装置１００によれば、特別アイコンを格納する領域を２つ有していることから、一方の領域に対して特別アイコンを書き込んでいる途中で書き込みエラーが発生した場合であっても、他方の領域を有効にすることができる。また、本実施形態に係る表示装置１００によれば、新たな特別アイコンを書き込む場合に、２つの領域のうち古い方を書き換えるので、書き込みエラーが発生した場合であっても、現在有効になっている特別アイコンが破損してしまうことを防止できる。
【００６１】
上記実施形態では、表示装置１００が、特別アイコンを格納するための、第２アイコン格納部１１４および第３アイコン格納部１１６の２つの格納部を有する場合を例に挙げて説明したが、これに限らない。表示装置１００は、特別アイコンを格納するための、３つ以上の格納部を有してもよい。この場合、３つ以上の格納部のうち２つの格納部の間で、いずれの格納部を有効とするかを切り替え可能としてもよい。
【００６２】
以上の説明において、表示制御装置１０２の各部は、ハードウエアにより実現されてもよく、ソフトウエアにより実現されてもよい。また、ハードウエアとソフトウエアとの組み合わせにより実現されてもよい。また、プログラムが実行されることにより、コンピュータが表示制御装置１０２として機能してもよい。プログラムは、コンピュータ読み取り可能な媒体またはネットワークに接続された記憶装置から、表示制御装置１０２の少なくとも一部を構成するコンピュータにインストールされてよい。
【００６３】
コンピュータにインストールされ、コンピュータを本実施形態に係る表示制御装置１０２として機能させるプログラムは、ＣＰＵ等に働きかけて、コンピュータを表示制御装置１０２の各部としてそれぞれ機能させる。これらのプログラムに記述された情報処理は、コンピュータに読込まれることにより、ソフトウエアと表示制御装置１０２のハードウエア資源とが協働した具体的手段として機能する。
【００６４】
以上、本発明を実施の形態を用いて説明したが、本発明の技術的範囲は上記実施の形態に記載の範囲には限定されない。上記実施の形態に、多様な変更または改良を加えることが可能であることが当業者に明らかである。その様な変更または改良を加えた形態も本発明の技術的範囲に含まれ得ることが、請求の範囲の記載から明らかである。
【００６５】
請求の範囲、明細書、および図面中において示した装置、システム、プログラム、および方法における動作、手順、ステップ、および段階などの各処理の実行順序は、特段「より前に」、「先立って」などと明示しておらず、また、前の処理の出力を後の処理で用いるのでない限り、任意の順序で実現しうることに留意すべきである。請求の範囲、明細書、および図面中の動作フローに関して、便宜上「まず、」、「次に、」などを用いて説明したとしても、この順で実施することが必須であることを意味するものではない。
【符号の説明】
【００６６】
１０  表示システム、２０  ネットワーク、３０  ストアサーバ、４０  クラウドサーバ、５０  無線基地局、１００  表示装置、１０２  表示制御装置、１１０  アイコン格納部、１１２  第１アイコン格納部、１１４  第２アイコン格納部、１１６  第３アイコン格納部、１２２  特別対応情報格納部、１２４  標準対応情報格納部、１２６  通信接続確立部、１３０  通信部、１３２  携帯端末識別情報受信部、１３４  アプリ識別情報受信部、１３６  アイコン受信部、１４０  表示制御部、１４２  動作データ格納部、１４４  アイコン書換部、１５０  表示部、１６０  アイコン、２００  携帯端末、３００  モニタ、３０２  ＭＰＵ、３０４  ＢＬＥユニット、３０６  ＭＰＵ−ＲＡＭ、３０８  ＭＰＵ−ＳＰＩ、３１０  ＦＰＧＡ、３１２  ＦＰＧＡ−ＳＰＩ、３２０  表示ユニット
【図１】
2017022029.tif 000003
【図２】
2017022029.tif 000004
【図３】
2017022029.tif 000005
【図４】
2017022029.tif 000006
【図５】
2017022029.tif 000007
【国際調査報告】
2017022029.tif 000008
2017022029.tif 000009
2017022029.tif 000010
2017022029.tif 000011